(57)【要約】【課題】  特に水中に深く沈めて収音する必要がない例えば水泳競技や水中演舞などの収音に好適で臨場感のある収音を行うことができる水中マイクロホンを提供する。【解決手段】  水中の音波を収音する水中マイクロホンにおいて、防水処理が施された無指向性のマイクロホンユニット１０と、一端が開口されていて他端側が閉じられた弾性材からなる筒体２０とを含み、上記筒体２０の一端側の開口部２１をマイクロホンユニット１０の音響端子１０ａを有する収音面側に気密的に嵌合し、マイクロホンユニット１０の音響端子１０ａの前方に所定容積の気密的な空気室ＡＲを備える。【選択図】  図２
2005311428.tif 000002
【特許請求の範囲】
【請求項１】
水中の音波を収音する水中マイクロホンにおいて、防水処理が施された無指向性のマイクロホンユニットと、一端が開口されていて他端側が閉じられた弾性材からなる筒体とを含み、上記筒体の一端側の開口部を上記マイクロホンユニットの音響端子を有する収音面側に気密的に嵌合し、上記マイクロホンユニットの音響端子の前方に所定容積の気密的な空気室を備えることを特徴とする水中マイクロホン。
【請求項２】
上記マイクロホンユニットがコンデンサ型である請求項１に記載の水中マイクロホン。
【請求項３】
上記筒体が水中の音波によって発生する圧力変化に対して変形し得る薄肉の合成樹脂材からなる請求項１または２に記載の水中マイクロホン。
【発明の詳細な説明】
【技術分野】
【０００１】
本発明は水中の音波を収音する水中マイクロホンに関し、さらに詳しく言えば、機械的インピーダンスが低く臨場感のある水中収音を行うことができる水中マイクロホンに関するものである。
【背景技術】
【０００２】
水中マイクロホンはハイドロマイクロホンとも呼ばれ、水中では深さによって水圧が増加することから、その水圧に耐えられるように設計されている。変換器としては空気袋内に歪みゲージを貼り付けたもの（特許文献１参照），ダイナミック型ユニットを使用したもの（特許文献２参照），それにもっとも多用されている圧電型ユニットを使用したもの（特許文献３参照）などが知られている。
【０００３】
【特許文献１】特公昭５１−２３９０５号公報
【特許文献２】特開平９−２４７７９７号公報
【特許文献３】特開２００３−３４８６９５号公報
【発明の開示】
【発明が解決しようとする課題】
【０００４】
しかしながら、従来の水中マイクロホンは変換器の別を問わずいずれもが機械的インピーダンスを高めて水圧に耐え得るように設計されているため感度が低い。したがって、水中に深く沈めて収音する必要のない場合（例えば水泳競技や水中演舞などの収音では水中に数１０ｃｍ程度の深さに設置すればよい）においても臨場感のある収音を行うことができなかった。
【０００５】
したがって、本発明が解決しようとする課題は、特に水中に深く沈めて収音する必要がない例えば水泳競技や水中演舞などの収音に好適で臨場感のある収音を行うことができる水中マイクロホンを提供することにある。
【課題を解決するための手段】
【０００６】
上記課題を解決するため、本発明は、水中の音波を収音する水中マイクロホンにおいて、防水処理が施された無指向性のマイクロホンユニットと、一端が開口されていて他端側が閉じられた弾性材からなる筒体とを含み、上記筒体の一端側の開口部を上記マイクロホンユニットの音響端子を有する収音面側に気密的に嵌合し、上記マイクロホンユニットの音響端子の前方に所定容積の気密的な空気室を備えることを特徴としている。
【０００７】
本発明において、マイクロホンユニットは無指向性であればボイスコイルを備えているダイナミック型でもよいが、小型で安価に入手し得る点からすればコンデンサ型であることが好ましい。
【０００８】
また、筒体についても水中の音波によって発生する圧力変化に対して変形し得るものであれば金属材でもよいが、作製の容易性およびコストの面からして薄肉の合成樹脂材からなることが好ましい。
【発明の効果】
【０００９】
本発明によれば、機械的インピーダンスが低いことから臨場感のある水中収音を行うことができる。また、マイクロホンユニットが無指向性であることから１台でより広い範囲をカバーすることができる。さらには、構成がすこぶる簡単であるため安価に作製することができる。
【発明を実施するための最良の形態】
【００１０】
次に、図１および図２により本発明の実施形態について説明するが、本発明はこれに限定されるものではない。図１は本発明による水中マイクロホンを分解して示す正面図，図２は水中での使用状態を示す正面図である。
【００１１】
図１に示すように、この水中マイクロホンは、マイクロホンユニット１０と筒体２０とにより構成される。マイクロホンユニット１０は無指向性のものを使用する。ダイナミック型（動電型）でもよいが、小型で安価に入手し得るコンデンサマイクロホンユニットが好ましい。この例では、タイピンマイクロホンなどに使用される外径が５ｍｍの無指向性エレクトレットコンデンサマイクロホンユニットを採用している。
【００１２】
水中に沈められることから、マイクロホンユニット１０には防水処理を施す。防水剤（撥水剤）を塗布するのもひとつの有効な方法であるが、熱収縮チューブを被せ加熱により収縮させて防水性を付与してもよい。
【００１３】
筒体２０には弾力性を有するチューブを用いる。水中の音波によって発生する圧力変化に対して変形し得るものであれば金属材でもよいが、作製の容易性およびコストの面からして薄肉の合成樹脂製のチューブであることが好ましく、この例では肉厚約０．２ｍｍ，内径５ｍｍ，軸長１２０ｍｍの塩化ビニール製のチューブを使用している。
【００１４】
筒体２０の一端側は開口されたままとし他端側はキャップ２１を嵌合して気密的に閉じる。キャップ２１は特に弾力性を有することを要しないため金属製であってもよい。場合によっては、キャップを用いずに例えばヒートシールなどによって筒体２０の他端側を閉塞してもよい。
【００１５】
この水中マイクロホンは、筒体２０の一端側の開口部２１をマイクロホンユニット１０の音響端子１０ａを有する収音面側に適当なシーリング材を介して気密的に嵌合することにより完成され、筒体２０により音響端子１０ａの前方に所定容積の密閉された空気室ＡＲが設けられる。
【００１６】
図２にこの水中マイクロホンを水中に設置した状態を示す。この水中マイクロホンは例えば水泳競技や水中演舞などの収音に好適であり、一例としてマイクロホンユニット１０が水面から数１０ｃｍ程度の深さに没するように設置して使用される。
【００１７】
水中の圧力をＰ１，空気室ＡＲ内の圧力をＰ２とすると、水中の音波によって発生する水中圧力Ｐ１の圧力変化に伴って空気室ＡＲ内の圧力Ｐ２が変化し、この空気室ＡＲ内の圧力Ｐ２の圧力変化をマイクロホンユニット１０が電気信号に変換する。
【００１８】
この水中マイクロホンは機械的インピーダンスが十分に低いため臨場感のある水中収音が可能となる。しかも、マイクロホンユニット１０は無指向性であるため広い範囲の水中音を収音することができる。
【００１９】
なお、筒体２０が上記のように薄肉であると水中深くに沈めた場合には筒体２０が水圧でつぶれて収音できないことがあるが、そのような用途の場合には感度を犠牲にして弾力性の高い筒体を用いることで対応できる。
【図面の簡単な説明】
【００２０】
【図１】本発明による水中マイクロホンを分解して示す正面図。
【図２】本発明による水中マイクロホンの使用状態を示す正面図。
【符号の説明】
【００２１】
１０  マイクロホンユニット
１０ａ  音響端子
２０  筒体
２１  開口部
２２  キャップ
ＡＲ  空気室
【図１】
2005311428.tif 000003
【図２】
2005311428.tif 000004